(57)【要約】【課題】使用者がシャフトを任意の方向に揺動し得るようにする。【解決手段】ステージ１１の下方に水槽１２を設け、使用者が操作するハンドル２６にシャフト１３を設け、そのシャフト１３のステージ１１を貫通した部分を水槽１２に継手１４で任意の方向に揺動可能に連結し、シャフト１３の下端部に水槽１２内の水に浸漬する抵抗体１５を設ける。これにより、シャフト１３は、そのシャフト１３のステージを貫通した部分を継手部１４で水槽１２に揺動可能に連結にされているので、使用者はハンドル２６を操作してシャフト１３を任意の方向に揺動させることができる。【選択図】図１
0003132377.tif 000002
【実用新案登録請求の範囲】
【請求項１】
使用者が乗るステージ(１１)と、このステージ(１１)の下方に設けた水槽(１２)と、前記ステージ(１１)を貫通するシャフト(１３)と、そのシャフト(１３)の前記ステージ(１１)を貫通した部分を前記水槽(１２)に任意の方向に揺動可能に連結する継手(１４)と、前記シャフト(１３)の下端部に設け前記水槽(１２)内の水に浸漬する抵抗体(１５)とを備え、前記ステージ(１１)上の使用者が前記シャフト(１３)を揺動させ、その揺動に伴って前記抵抗体(１５)により抵抗を加えるようにした運動器具。
【請求項２】
前記抵抗体(１５)が、前記シャフト(１３)の軸周りに外向きに延び互いに等角度で配置された複数の羽根板(３２)と、その各羽根板(３２)の外端面に設けられた抵抗板(３３)とを備えたものである請求項１に記載の運動器具。
【考案の詳細な説明】
【技術分野】
【０００１】
この考案は、健康増進、筋力トレーニング、リハビリ等を目的として、水の抵抗を利用した、運動を行うための運動器具に関する。
【背景技術】
【０００２】
一般に、健康を維持・増進する目的、あるいは身体のトレーニングの目的として、水の抵抗を利用し、その抵抗を使用者に加えるようにした運動器具が使用されている。この水の抵抗を利用した運動器具としては、従来から、例えば、特開平１１−２２６１４８号公報に記載されているように、上方が開放する箱状の水槽体と、その水槽体の上部に設けた支持体と、この支持体に水平な支持軸を介して水槽内に揺動可能に設けた抵抗体を有する一対のシャフトと、水槽体の両側部に高さ調節可能に設ける一対の浮基体とを備えたものが知られている（特開平１１−２２６１４８号公報  段落００２２、図５参照）。
【０００３】
この運動器具の浮基体を水槽体の所定位置に設け、プールの水に運動器具を浮かべると、水槽内に水が入る。水槽内に水が入った状態で、使用者が一対の浮基体上に乗って、シャフトの上部を握って前後に揺動させる。その揺動により、シャフトは支持軸を回転中心としてその下部に設けた抵抗体が水槽内の水に浸かった状態で前後に揺動するので、その揺動に対して抵抗体により使用者に水の抵抗を加えることができる。このように水の抵抗を利用して使用者の上半身、特に腕の筋力を向上させるだけでなく、その揺動を続けることで有酸素運動を行うこともできる。
【考案の開示】
【考案が解決しようとする課題】
【０００４】
しかし、この運動器具のシャフトは、水槽体内を前後方向の一方向にのみにしか揺動させることができない。このため、その揺動が単調となり面白みに欠けるので、使用者はシャフトの揺動を続けることが煩わしくなり、効果的な有酸素運動を行うことが難しい。
【０００５】
また、シャフトの揺動可能な方向が前後方向の一方向にのみであるので、シャフトの上部を操作して揺動させれば、使用者の上半身を中心に腕や肩などの限られた部位にしか、抵抗体の揺動による抵抗を加えることができず、使用者の全身の筋力向上や、身体機能の向上のための運動を行うことが難しい。
【０００６】
そこで、使用者がシャフトを任意の方向に揺動し得るようにすることを課題とする。
【課題を解決するための手段】
【０００７】
上記の課題を解決するために、使用者が乗るステージと、このステージの下方に設けた水槽と、前記ステージを貫通するシャフトと、そのシャフトの前記ステージを貫通した部分を前記水槽に任意の方向に揺動可能に連結する継手と、前記シャフトの下端部に設け前記水槽内の水に浸漬する抵抗体とを備え、前記ステージ上の使用者が前記シャフトを揺動させ、その揺動に伴って前記抵抗体により抵抗を加えるようにした構成を採用したのである。
【０００８】
このようにすると、シャフトは、そのシャフトのステージを貫通した部分を継手で水槽に揺動可能に連結にされているので、使用者はハンドルを操作してシャフトを任意の方向に揺動させることができる。また、シャフトの下端部に水槽内の水に浸漬する抵抗体を設けているので、そのシャフトの揺動により、抵抗体が水の抵抗を受けてその水の抵抗を使用者に加えることができる。
【０００９】
また、前記抵抗体が、前記シャフトの軸周りに外向きに延び互いに等角度で配置された複数の羽根板と、その各羽根板の外端面に設けられた抵抗板とを備えたものであれば、シャフトの揺動に伴い抵抗体が揺動した際、水槽内の水との接触面積が大きくなるとともに、任意の方向に対して抵抗を加えることが可能となる。
【考案の効果】
【００１０】
以上のように、この考案は、ハンドルのシャフトの、ステージを貫通した部分を継手で水槽に任意の方向に揺動可能に連結するので、使用者がそのハンドルを操作してシャフトを任意の方向に揺動させることができる。
【考案を実施するための最良の形態】
【００１１】
以下、この考案の実施形態を図１から図４に示す。この実施形態の運動器具１０は、図１に示すように、使用者が乗るステージ１１と、そのステージ１１の下方に設けた水槽１２と、使用者が操作するハンドル２６と、このハンドル２６の下端部に設けたシャフト１３と、そのシャフト１３を水槽１２に揺動可能に連結する継手１４と、シャフト１３の下端部に設けた水槽１２内の水に浸漬する抵抗体１５とを備えたものである。
【００１２】
前記ステージ１１は、図２に示すように、箱型に形成されており、４本の支柱１６により使用者が乗る矩形の天板１７と、水槽１２を設ける矩形のベース板１８がそれぞれ地面と平行に支持されている。天板１７の中央には、シャフト１３が通る貫通孔２０が設けられる。この貫通孔２０には、上方に向かって小径となる円筒状のダストカバー３０が嵌め合わされる。
【００１３】
このダストカバー３０は、その側面部が蛇腹状となっており、弾性を有する合成ゴム製であり、その上端部にシャフト１３が貫通する穴と、下端部に天板１７の貫通孔２０の内周縁部に嵌る径方向内向きに形成された溝とを有する。このダストカバー３０の溝を天板１７の貫通孔２０の周縁部に嵌め合わせて貫通孔２０に固定する。そのダストカバー３０を固定した貫通孔２０の周縁部には、ハンドル２６の操作によりシャフト１３を揺動させた際、そのシャフト１３が突き当たるので、シャフト１３が垂直方向に対して所要角度以上に傾かないようにそのシャフト１３の揺動を規制する。
【００１４】
このステージ１１の各側面の各支柱１６間に化粧板１９が設けられ、ベース板１８に載せる水槽１２が見えないようになっている。なお、化粧板１９をステージ１１の各支柱１６に対して着脱可能に設けるようにしてもよい。このようにすると、化粧板１９を取り外すことにより、水槽１２内の水をドレイン２１から排出させる際、化粧板１９が邪魔にならない（図３参照）。
【００１５】
ステージ１１のベース板１８上に設ける水槽１２は、図２に示すように、上方が開口する直方体部と、その直方体部の各側壁の上端部から上方内向きに傾斜するように一体に形成される筒体部とからなる。この水槽１２の直方体部は、その各側壁の下端部がボルト、ナットによりステージ１１のベース板１８に固定され、水槽１２内の水を排出するドレイン２１を有する。なお、水槽１２の形状は、前記の形状に限られず、前記直方体部を、例えば、有底の円柱体に、あるいは有底の三角柱体に形成してもよい。要は、水槽内の水に浸漬させる抵抗体１５が、シャフト１３の揺動の際、水槽１２の側壁に接触しない形状であれば良い。
【００１６】
前記水槽１２の筒体部の上方には、その筒体部の上端部に接続し上方に向かって内向きの断面角型の筒状に形成された継手部１４が設けられる。この継手部１４は、下面が閉塞しており、前記水槽１２の蓋となる。また、継手部１４の上面中央に、前記下面を底面とする凹部２２が形成されている。
【００１７】
この凹部２２内に、内面が凹状球面である半球体のソケット２３がその内面が上方を向いた状態で固定される。この凹部２２のソケット２３に、ステージ１１の天板１７の貫通孔２０に挿通するシャフト１３の下端部に設けられた球状体２４が嵌まり、このソケット２３と、シャフト１３及び球状体２４とで、ボールジョイントが構成される。このボールジョイントにより、シャフト１３が前記水槽１２に対して任意の方向に揺動可能に連結される。
【００１８】
水槽１２に揺動可能に連結するシャフト１３は、軸状のハンドル２６が抜き差し可能に設けられるスリーブ２５と、そのスリーブ２５の下端部に設けた球状体２４を介して固定される連結ロッド３１とを備えたものである。このスリーブ２５はステージ１１の天板１７を貫通しており、その球状体２４が前記継手部１４の凹部２２内のソケット２３に嵌められ、連結ロッド３１は、球状体２４に対して下方に突き出し、継手部１４の下面及びソケット２３を下向きに貫通している。
【００１９】
このスリーブ２５の上端部には、クランプ２７が取り付けられ、スリーブ２５内に差し込まれたハンドル２６が抜き差し方向に移動しないように固定する。この固定により、ハンドル２６のステージ１１の天板１７からの突き出し長さを使用者の身長や座高などに合せて調整可能となっている。
【００２０】
前記ハンドル２６の上端部に、そのハンドル２６の軸方向に対して直交する操作棒２８がその中央部分で固定されている。この操作棒２８の両端に使用者が手で掴むグリップ２９が設けられる。
【００２１】
前記スリーブ２５の球状体２４に固定される連結ロッド３１には抵抗体１５が設けられる。この抵抗体１５は、図１に示すように、連結ロッド３１の軸周りに外向きに延び互いに等角度で配置された４枚の羽根板３２と、その各羽根板３２の外端面に設けられた抵抗板３３とを備えており、水槽１２内の水に浸漬した状態となっている（図２参照）。
【００２２】
抵抗板３３は、羽根板３２に対して直交状態に設けられており、シャフト１３の揺動に伴い抵抗体１５が水槽１２内の水の中で揺動した際、抵抗体１５が各羽根板３２単独である場合よりも、抵抗板３３を羽根板３２に設けた場合の方が、水との接触面積が大きくなるので水の抵抗が増す。また、この抵抗体１５は、その羽根板３２及び抵抗板３３がステンレス鋼で形成され、その自重により、ハンドル１３を自立させている。このため、抵抗体１５が、シャフト１３に水の抵抗を加えるとともに、シャフト１３を自立させる錘を兼ねている。
【００２３】
以上のように、この実施形態の運動器具１０は構成され、まず、そのステージ１１上に使用者が乗り、ハンドル２６の高さを調節し、操作棒２８のグリップ２９を手で握る。その後、グリップ２９を握った状態でハンドル２６を操作してシャフト１３を揺動させる。
【００２４】
このとき、シャフト１３を水槽１２に対して任意の方向に揺動可能に連結しているので、図４に示すように、ハンドル２６の上端部（操作棒２８）の通る軌跡を、例えば、櫂で和船を進ませる際に櫂が描く略８の字状と同じ軌跡となるように、シャフト１３を揺動させることができる。
【００２５】
このシャフト１３の揺動に対応して、シャフト１３の下端部に固定された抵抗体１５が継手部１４のボールジョイントを介して水槽１２内で揺動する（図２中の一点鎖線参照）。抵抗体１５の水槽１２内での揺動により、この抵抗体１５が水の抵抗を受けて、この水の抵抗がシャフト１３を介してハンドル２６を握る使用者に加えられる。
【００２６】
このように、シャフト１３は、任意の方向に揺動させることが可能であるため、上述のように、例えば、櫂がたどる略８の字状の軌跡を描くように揺動させたり、前後、左右、またはこれらの組み合わせた軌跡を描くように揺動させたりすることができる。
【００２７】
このため、ハンドル２６の操作によるシャフト１３の揺動が単調なものとならず、その揺動を続けることができる。シャフト１３の揺動を続けることにより、使用者に抵抗体１５による水の抵抗が加わるので、効果的に有酸素運動を行うことができるだけでなく上半身の筋力アップや、下半身の強化などの全身の身体機能を向上させることもできる。
【００２８】
また、使用者が操作する操作棒２８の変形例１として、図５に示すように、その操作棒２８を上方に延びる三叉の棒状体からなる操作部３５とすることができる。この操作部３５は、三叉の棒状体のうち両側の棒状体が、中央のものよりも使用者側寄りに設けられている。
【００２９】
このため、操作部３５の両側の棒状体を手前となるようにハンドル２６を配置し、両側の棒状体と中央の棒状体との間に前腕を入れて操作部３５を抱きかかえて、上体を使ってハンドル２６の操作でシャフト１３を揺動することもできる。この場合、片手の不自由な人でも、シャフト１３を揺動させ続けることにより、有酸素運動を行うことが可能となる。さらに、上半身の筋力アップや、下半身の強化などの全身の身体機能を向上させることもできる。
【００３０】
また、前記操作棒２８の変形例２として、図６に示すように、その操作棒２８に、その両グリップ２９の代わりに使用者の両足を乗せるベルトを備えたステップ板３６を設けたものを採用することができる。この場合、椅子３４に座った使用者は、その両足をステップ板３６に載せ、その両足でハンドル２６を操作してシャフト１３を揺動させることができる。
【００３１】
このように両足でシャフト１３を揺動させ続けることにより、例えば、有酸素運動を行うことができ、さらに使用者の両足（下半身）の筋力アップや両足のリハビリテーションなどに利用することができる。また、両足でハンドル１３を揺動させることが可能であるので、両腕の不自由な人がこの運動器具を使用して、有酸素運動等を行うこともできる。
【図面の簡単な説明】
【００３２】
【図１】実施形態の運動器具の斜視図
【図２】同上の運動器具の断面図
【図３】同上の運動器具の化粧板を設けない場合における側面図
【図４】同上の運動器具の使用方法を示す説明図
【図５】同上の運動器具の操作棒の変形例１を示した斜視図
【図６】同上の運動器具の操作棒の変形例２を示した斜視図
【符号の説明】
【００３３】
１０  運動器具
１１  ステージ
１２  水槽
１３  シャフト
１４  継手部
１５  抵抗体
１６  支柱
１７  天板
１８  ベース板
１９  化粧板
２１  ドレイン
２２  凹部
２３  ソケット
２４  球状体
２５  スリーブ
２６  ハンドル
２７  クランプ
２８  操作棒
２９  グリップ
３０  ダストカバー
３１  連結ロッド
３２  羽根板
３３  抵抗板
３４  椅子
３５  操作部
３６  ステップ板
【図１】
0003132377.tif 000003
【図２】
0003132377.tif 000004
【図３】
0003132377.tif 000005
【図４】
0003132377.tif 000006
【図５】
0003132377.tif 000007
【図６】
0003132377.tif 000008